(57)【要約】【課題】  公知発明（特開２００２−２６４４０１号公報）を改良して、バッファメモリの容量を更に低減させ得るようにする。【解決手段】  複数の色を有する文字、図形、記号などから成る印刷データを、色ヘッダ部７１０とドット色データ７２０とに区分する。色ヘッダ部は複数（本例では４種類）の印刷色の色情報を有しているが、１印刷色ずつ複数回（本例では４回）の印刷を行なう度に、印刷済みの色情報を削除してゆく。このため、前段のバッファに比して後段のバッファは所要容量が小さくなる。バッファ容量削減は感光ドラムの距離に比例して大きくなることから、今後のドラム径の大型化による高速化に対応することが可能である。一方、本発明の適用によって各印刷制御部門間のデータ転送量が減少することからデータ転送時間に余裕ができ、今後の高精細化にも対応することが可能である。【選択図】  図７
2006021458.tif 000002
【特許請求の範囲】
【請求項１】
複数の色を有する文字，図形，記号などから成る印刷データを、印刷イメージデータに展開して細分化し、
細分化された領域内を、定められた複数の色に近似せしめて固定長で圧縮する印刷情報処理用の電子機器において、
前記印刷データを、「印刷色の調合割合を表す色ヘッダ」と「多数のドットのそれぞれに色ヘッダを振り当てたドット色データ」とに区分して変換する手段を具備し、
かつ、上記のように変換された印刷データを入力されて、各印刷色ごとに順次に印刷する、バッファ機能を有するタンデム型カラー印刷機を備えていることを特徴とする印刷情報処理用の電子機器。
【請求項２】
前記色ヘッダのそれぞれが、印刷色の種類ごとの配合割合を表すものであり、
かつ前記ドット色データは、文字，図形，記号などにおける位置を表す多数のピクセルそれぞれに、上記色ヘッダの識別符号を振り当てたものであることを特徴とする請求項１に記載した印刷情報処理用の電子機器。
【請求項３】
前記タンデム型カラー印刷機が、
印刷色の全部を記憶する第１のバッフア（Ｄ）と、
第１の印刷色を印刷する第１の印刷データ出力部（Ｃ）と、
第１の印刷色を除いた印刷色を記憶する第２のバッフア（Ａ）と、
第２の印刷色を印刷する第２の印刷データ出力部（Ｍ）と、
第１，第２の印刷色を除いた印刷色を記憶する第３のバッフア（Ｂ）と、
第３の印刷色を印刷する第３の印刷データ出力部（Ｙ）と、
第Ｎの印刷色を記憶する最終段のバッフアと、  第Ｎの印刷色を印刷する最終段の印刷データ出力部とを具備していて、
それぞれの段の印刷データ出力部が、それぞれの段の印刷部に対して印刷指示信号を出力するようになっていることを特徴とする請求項２に記載した印刷情報処理用の電子機器。
【請求項４】
印刷色の全部を記憶する第１のバッフア（Ｄ）と、
第１の印刷色を印刷する第１の印刷データ出力部（Ｃ）と、
第１の印刷色を除いた印刷色を記憶する第２のバッフア（Ａ）と、
第２の印刷色を印刷する第２の印刷データ出力部（Ｍ）と、
第１，第２の印刷色を除いた印刷色を記憶する第３のバッフア（Ｂ）と、
第３の印刷色を印刷する第３の印刷データ出力部（Ｙ）と、
第Ｎの印刷色を記憶する最終段のバッフアと、
第Ｎの印刷色を印刷する最終段の印刷データ出力部とを具備するタンデム型カラー印刷機を制御するプログラムであって、
ａ．前段のバッフアから１ラスタ分のデータを読み出す手順と、
ｂ．各ドットの色データから、色ヘッダ部の対応する色情報に変換する手順と、
ｃ．当該段の印刷部に対して１ラスタ分の印刷指示信号を出力する手順と、
ｄ．後段の印刷データ出力部へ送信する手順とを具備していることを特徴とする印刷情報処理用の電子機器制御プログラム。
【発明の詳細な説明】
【技術分野】
【０００１】
本発明は、ページ単位のカラー印刷を行う印刷情報処理用の電子機器およびタンデム型カラー印刷機を制御するプログラムに係り、特に複数の出力部を有する電子写真式のタンデム型カラー印刷装置に適用される電子機器およびおよびタンデム型カラー印刷機を制御するプログラムに関するものである。
【背景技術】
【０００２】
色別に複数の出力部を有するタンデム型カラー印刷装置におけるカラー印刷を効率よく遂行する技術としては、下記特許文献２記載の印刷処理装置（以下、公知発明という）が提案されている。この公知発明における印刷処理装置の概要と問題点とについて説明する。
図９は印刷装置の機構図であって、公知発明の公報の図６に対応している。
カラー印刷は、光の３原色ではなく印刷色によって行われる。この公知例ではシアン（Ｃ）、マゼンダ（Ｍ）、イエロー（Ｙ）、およびブラック（Ｋ）の４種類の印刷色で行われている。  これらの印刷色に対応して、トナー（Ｃ）９０１を備えた感光ドラム（Ｃ）９０５と、トナー（Ｍ）９０２を備えた感光ドラム（Ｍ）９０６と，トナー（Ｙ）９０３を備えた感光ドラム（Ｙ）９０７と、トナー（Ｋ）９０４を備えた感光ドラム（Ｋ）９０８と、が配置されている。符号９０９は印刷用紙である。
【０００３】
説明の便宜上、図３に示した印刷イメージ例を想定する（このイメージは,公知発明の説明にも実施例の説明にも用いる）。
図３において符号Ａを付して示した部分を拡大すると図４のとおりである。この有色図形は、色０、色１、色２、および色３の４色調で構成されている。これらの４種類の色調は印刷色の原色ではなく、次に詳しく述べるようにそれぞれ印刷色が１６進表記で（００）ｈ〜（ＦＦ）ｈの２５６階調で、混合されて成る。
図中、図４の下方に付記してあるように、
例えば色１は、シアン（Ｃ）（１９）ｈ、マゼンダ（Ｍ）（７０）ｈ、イエロー（Ｙ）（０２）ｈ、ブラック（Ｋ）（２０）ｈの割合で混合された色調である。
また例えば色２は、シアン（Ｃ）（１９）ｈ、マゼンダ（Ｍ）（８３）ｈ、イエロー（Ｙ）（１１）ｈ、ブラック（Ｋ）（０１）ｈの割合で混合された色調である。
そして色０は背景色であって、シアン（Ｃ）ゼロ、マゼンダ（Ｍ）ゼロ、イエロー（Ｙ）ゼロ、ブラック（Ｋ）ゼロ、すなわち空白（印刷用紙の地色そのまま）である。
また、色３は、ほぼ黒に近い色を示すことになる。
【０００４】
これら色彩の印刷における準備工程は、これを水彩画に譬えれば、パレットに絵具をとって種々に混ぜ合わせるようなものである。その次には、これらの調合された絵具で図形を描かねばならない。
そこで、図４に表されている図形を縦横８×８＝６４個のドット４０１に区分して、  これら６４個のドットに座標番号を付すると図５のようになる。
図の最上段の並びはラスタ１（符号４０２）であり、２段目はラスタ２（符号４０３）であり、最下段の並びはラスタ８（符号４０４）である。
この図形の任意の１つのドットについて見ると、例えば符号５０３を付したのはドット座標４２である。このように総べてのドットに座標番号が付され、これら６４個のドットそれぞれをピクセル（画素）として、以下に述べるようにして、それぞれのドット（画素）に色調が割り当てられる。
【０００５】
前記６４個のドット座標それぞれに４種類の色調を振り当てると、６４×４＝２５６個の符号の並びが得られる。前記公知発明における「ドットと色調との組み合わせ」を例示すると図６のようになる（図４の有色図形を表したものである）。
図６の最上段は、ドット座標１を表している。すなわち、図４と図５とを対照して理解されるようにドット座標１は色０｛シアン（Ｃ）ゼロ、マゼンダ（Ｍ）ゼロ、イエロー（Ｙ）ゼロ、ブラック（Ｋ）ゼロ｝であるから、図６の最上段（６０１座標ドット１のデータ行）は（００）ｈ、（００）ｈ、（００）ｈ、（００）ｈになっている。
そして図６の２段目は座標ドット２を表し、色１｛シアン（Ｃ）（１９）ｈ、マゼンダ（Ｍ）（７０）ｈ、イエロー（Ｙ）（０２）ｈ、ブラック（Ｋ）（２０）ｈ｝であるから、（１９）ｈ、（７０）ｈ、（０２）ｈ、（２０）ｈになっている。 
３，４，５，６，７，８，の各段も同様であって、この図６の１〜８段がラスタ１（符号４０２）を表している。
同様にして、ラスタ１からラスタ８までの８ラスタ・６４段によって図４の有色図形が記号化されている。
【０００６】
前記公知発明においては、図６のように記号化された情報が図９の印刷装置に供給される。この装置における情報処理をブロック図で示すと図１０のようになる（この図は公知発明の特許文献２の図２に相当する。さらに詳しくは同公報を参照されたい）。
データ制御部２０４から印刷出力部（Ｃ）２０５に、印刷情報（図６）が供給される。  該印刷出力部（Ｃ）は、与えられた情報の中からシアン（Ｃ）成分を感光ドラム（Ｃ）（図９の符号９０５）に供給して印刷させるとともに、与えられた情報をバッファＡ２０６に送る。
バッファＡ２０６に蓄えられた情報は、印刷タイムラグを調整して印刷出力部（Ｍ）２０７に与えられ、マゼンダ（Ｍ）成分が印刷される。
このようにして情報（図６）が順次に送られ、最終段の印刷出力部（Ｋ）２１１でブラック（Ｋ）成分が印刷されてカラー印刷工程が終わる。
【特許文献１】特開平１１−１０９６０号公報
【特許文献２】特開２００２−２６４４０１号公報
【発明の開示】
【発明が解決しようとする課題】
【０００７】
前記特許文献１に記載の技術は、それよりも以前のカラー印刷技術に比して印刷処理が効率化され、装置に設けるべきメモリ容量が削減されるという優れた実用的効果が得られ、カラー印刷産業の発展に寄与するところ多大であった。  
しかしながら本出願人が前記公知発明を特許出願した後、本発明者等は更に実用化研究を進めた結果,公知技術は、バッファーに必要とされる容量が冗長であるという不具合を発見した。
本発明の目的は,前記従来技術における不具合を除去することであり、バッファ容量を低減することができる印刷情報処理用の電子機器及びタンデム型カラー印刷機を制御するプログラムを提供することである。
【課題を解決するための手段】
【０００８】
前記の目的を達成するために創作した本発明の基本的な原理を、図１０（公知発明）を援用して略述すると次の通りである。
例えばバッファＡは、印刷出力部（Ｍ）に与えるべきマゼンダ（Ｍ）の色情報も、印刷出力部（Ｙ）に与えるべきイエロー（Ｙ）の色情報も、印刷出力部（Ｋ）に与えるべきブラック（Ｋ）の色情報も、一時的に記憶して処理しなければならない。しかし、これに比してバッファＣに必要な一時記憶処理機能はブラック（Ｋ）だけである。このように、各印刷段のバッファ容量には削減の余地が有る。
しかしながら、前述のようにして色情報の記憶処理機能を部分的に削減しようとすると、色情報を図形情報と区分しなければならない。
もちろん、区分するといっても全く分離させるのではなく、色と図形とを関連させながら部分的な削除を可能ならしめるような形に区分しなければならない。
こうした改良は、新たな電子的機能を備えた印刷処理装置、本印刷処理装置を制御するパソコン、パソコン上のソフトウェアによって達成される。
本願発明は、上記のように広範な適用範囲を有する技術的創作である。
【０００９】
上述の原理に基づく具体的な構成として請求項１の発明に係る電子機器は、
複数の色を有する文字，図形，記号などから成る印刷データを、印刷イメージデータに展開して細分化し、細分化された領域内を、定められた複数の色に近似せしめて固定長で圧縮する印刷情報処理用の電子機器において、
前記印刷データを、「印刷色の調合割合を表す色ヘッダ」と「多数のドットのそれぞれに色ヘッダを振り当てたドット色データ」とに区分して変換する手段を具備し、
かつ、上記のように変換された印刷データを入力されて、各印刷色ごとに順次に印刷する、バッファ機能を有するタンデム型カラー印刷機を備えていることを特徴とする。
【００１０】
請求項２の発明に係る電子機器の構成は、前記請求項１の発明の構成要件に加えて、
前記色ヘッダのそれぞれが、印刷色の種類ごとの配合割合を表すものであり、
かつ前記ドット色データは、文字，図形，記号などにおける位置を表す多数のピクセルそれぞれに、上記色ヘッダを振り当てたものであることを特徴とする。
【００１１】
請求項３の発明に係る電子機器の構成は、前記請求項２の発明の構成要件に加えて、（図２参照）  前記タンデム型カラー印刷機が、
印刷色の全部を記憶する第１のバッフア（Ｄ）２１２と、
第１の印刷色を印刷する第１の印刷データ出力部（Ｃ）２０５と、
第１の印刷色を除いた印刷色を記憶する第２のバッフア（Ａ）２０６と、
第２の印刷色を印刷する第２の印刷データ出力部（Ｍ）２０７と、
第１，第２の印刷色を除いた印刷色を記憶する第３のバッフア（Ｂ）２０８と、
第３の印刷色を印刷する第３の印刷データ出力部（Ｙ）２０９と、
第Ｎの印刷色を記憶する最終段のバッフア２１０と、
第Ｎの印刷色を印刷する最終段の印刷データ出力部２１１とを具備し、
それぞれの段の印刷データ出力部が、それぞれの段の印刷部に対して印刷指示信号を出力するようになっていることを特徴とする。
【００１２】
請求項４の発明に係るプログラムの構成は、（図１８参照）多段式のタンデム型カラー印刷機を制御するプログラムであって、
ａ．前段のバッフアから１ラスタ分のデータを読み出す手順Ｓ１８０２と、
ｂ．各ドットの色データから、色ヘッダ部の対応する色情報に変換する手順Ｓ１８０３と、
ｃ．当該段の印刷部に対して１ラスタ分の印刷指示信号を出力する手順Ｓ１８０７と、
ｄ．後段の印刷データ出力部へ送信する手順Ｓ１８０８とを具備していることを特徴とする。
【発明の効果】
【００１３】
請求項1の発明によると、複数の色を有する文字,図形、記号等から成る印刷データを「印刷色の調合割合を表す色ヘッダ」と「多数のドットそれぞれに色ヘッダを振り当てたドット色データ」とに区分して変換する手段を具備しているので、与えられた印刷情報を色ヘッダとドット色データとに区分して、
この区分された印刷情報をバッファ機能を有するタンデム型カラー印刷機に供給して、各印刷色ごとに順次に印刷する際、使用済みの色情報を順次に消去してゆくことにより、バッファ容量を低減することができる。これにより、タンデム型カラー印刷機を小型軽量化するとともに製造コストを低減することができる。
バッファ容量低減は感光ドラムの距離に比例して大きくなることから、今後のドラム径の大型化による高速化に対応することが可能である。
一方、本発明の適用によって各印刷制御部門間のデータ転送量が減少することからデータ転送時間に余裕が出来、今後の高精細化にも対応することが可能であり,印刷装置の小型化による感光ドラム間の縮小にも対応可能となる。
【００１４】
請求項２の発明を前記請求項１の発明に適用すると、印刷インキと色ヘッダとの関係を合理的に調整するとともに、該色ヘッダを図形情報と関連させることにより、正確なカラープリントを迅速に、かつ容易に作成することができる。
【００１５】
請求項３の発明を請求項１に適用すると、複数のタンデム型カラー印刷機それぞれが、当該段の色情報を使用して印刷するとともに、使用済みの色情報を除いて次段のバッファに受け渡してゆくようになっているから、請求項１の発明を容易にかつ確実に実施して、その効果を充分に発揮させることができる。
【００１６】
請求項４の発明に係るプログラムによると、各印刷段のバッファをして順次に色情報を伝送させることができるので、これをカラー印刷装置に組み込むこともでき、印刷用パソコンに与えることもでき、また電子記録体として提供することもできる。      
【発明を実施するための最良の形態】
【００１７】
先に従来例（公知発明）の説明に用いた図４の印刷イメージを準用して本発明の実施形態を説明する。
公知発明においては図６に例示したように、色情報と図形情報とが混然一体となっていたが、本実施形態においては図７に示したように、色ヘッダ部７１０とドット色データ７２０とに区分されている。
（図４と図７とを併せて参照）色ヘッダ部７１０は、図形と直接的にかかわり無く、印刷色の調合割合を表している。すなわち、
図７の色０情報７１１は、図４の色０の調合割合を表している。
同様に色１情報７１２は、図４の色１の調合割合を表しており、
色２情報７１３は、図４の色２の調合割合を表しており、
色３情報７１４は、図４の色３の調合割合を表している、
【００１８】
図７のドット色データ７２０は、８個のピクセル（ドット）から成るラスタ１から、８個のピクセルから成るラスタ８までの８×８＝６４個のピクセル（画素）について、ドット座標１からドット座標６４までのそれぞれに対して、色調の種別（調合された印刷色のヘッダ）を、２ビットの識別符号で表している。例えば２進表示の“００”で色０情報（７１１）を、“０１”で色１情報（７１２）を、“１０”で色２情報（７１３）を、“１１”で色３情報（７１４）を、それぞれ表す。
以降、色ヘッダ部、ドット色データの表記に関して、“０１０１０…”は、２進表記を示す。
該図７のごとく構成された有色図形情報の１単位を模式的に示すと図１のようになる。  先頭に文書名１００が置かれ、続いて色ヘッダ部１０１が配置され、ドット色データ１０２がこれに続く。
上記ドット色データ１０２を更に詳しく見ると、最初のラスタ１から最後のラスタｎまで順番に並べられており、それぞれのラスタはドット座標１からドット座標ｍまで一連番号で続いている（本実施形態においては、先に述べたようにラスタの数ｎ＝８であり、ドット座標の数ｍ＝６４である。これを要約して示すと図８のごとくである。
【００１９】
本実施形態においては、４種類の印刷色｛シアン（Ｃ）、マゼンダ（Ｍ）、イエロー（Ｙ）、ブラック（Ｋ）｝を用いた場合を説明するが、本発明を実施する場合、これに限定されるものではなく、色情報の種類,種類数,調合値など、印刷文書の属性により切り替えてもよい。
例えば印刷文書が白黒ドキュメントの場合は、色情報の種類数は白と黒との２色で足りる。このため,色０,色１の２色になり、ドット色データは“０”か“１”の１ビットになる。
図７のように構成された印刷情報をカラー印刷装置に供給した場合の情報処理・伝送系統を図２に示す。データ制御部２０４は、ページの先頭にある１ブロックのデータをメモリ２０３から読み出し、バッファＤ２１２を経て印刷データ出力部（印刷出力部と略称する）（Ｃ）２０５に転送する。
該印刷出力部（Ｃ）は、固定長圧縮データをシアン（Ｃ）の画像データに展開して印刷情報を印刷部（Ｃ）２１５に出力するとともに、印刷情報の中からシアン（Ｃ）の色情報を削除した圧縮データを次段のバッファＡ２０６に送って格納させる。この段階においてシアン（Ｃ）は既に印刷指令済みであって、下流に位置しているマゼンダ、イエロー、ブラックの各印刷段はシアンに関する情報を必要としないからである。
【００２０】
同様に印刷出力部（Ｍ）はマゼンダ（Ｍ）に関する印刷情報を印刷部（Ｍ）２１６に与えるとともに、印刷情報の中から更にマゼンダ（Ｍ）に関する印刷情報を除いて次段のバッファＢ２０８に送る。この段階においてシアン（Ｃ）とマゼンダ（Ｍ）とは既に印刷指令済みであって、下流に位置しているイエロー、ブラックの各印刷段はシアンやブラックに関する情報を必要としないからである。
同様に、印刷出力部（Ｙ）はイエロー（Ｙ）に関する印刷情報を印刷部（Ｙ）２１７に与えるとともに、印刷情報の中から更にイエロー（Ｙ）に関する印刷情報を除いて次段のバッファＣ２１０に送る。この段階においてシアン（Ｃ）、マゼンダ（Ｍ）、イエロー（Ｙ）は既に印刷指令済みであって、下流に位置しているブラックの印刷段はシアンやブラックやイエローに関する情報を必要としないからである。
【００２１】
図２を参照して説明した各段の印刷出力部におけるデータ処理をフロー図で示すと図１８のとおりである。
すなわち、前段のバッファから色ヘッダ部を読み出してバッファにセットし（フローＳ１８０１）、
前段のバッファから１ラスタ分のデータを読み出し（フローＳ１８０２）、
各ドットの色データから色ヘッダ部の対応色情報に変換し（フローＳ１８０３）、
印刷出力部が制御する色が含まれているか否かを確かめ（フローＳ１８０４）、
対応する階調の色情報をセットし、（フローＳ１８０５）、
１ラスタ分の全ドットを終了したことを確かめ（Ｓ１８０６）、  
印刷指示を出力し（Ｓ１８０７）、
後段の印刷出力部へ送信して（フローＳ１８０８）、次のサイクルに進む。
上述のサイクルを印刷出力部の段数だけ繰り返す。その全工程をブロック図で示すと図１７のごとくである。
【００２２】
図１０は公知発明を模式的に表しているが、この図に示されているように第１の印刷色（Ｃ）を印刷し終わる処までは本発明におけると類似である。しかし、
公知発明においてはバッファＡ２０５に４印刷色（Ｃ，Ｍ，Ｙ，Ｋ）の色情報を記憶させたのに比して、本実施形態においては、「バッファＡに第１の色情報（シアン（Ｃ））は不要である」と考える。
つまり、図７に示した全情報は不要で、この中から第１の色情報（シアン（Ｃ））を除いた図１１の信号で足りる。
色０情報７１１が４色情報であるのに比して色０情報１１１１は３色情報である。
色１情報１１１２も、色２情報１１１３も、色３情報１１１４も、３色情報である。
【００２３】
図１２は、印刷用紙が第２の印刷出力部（Ｍ）を通って第３の印刷出力部（Ｙ）に到達した時点を描いてある。
第２の印刷出力部（Ｍ）２０７において、バッファＡ２０６から送られた色情報により第２の色調（マゼンダ（Ｍ））の印刷を行ったので、それよりも後段の印刷出力部に対してマゼンダ（Ｍ）の色情報を与える必要が無い。そこで、バッファＢ２０８に対しては、図１３のような信号を送って一時的に記憶させる。
この図１３を前掲の図１２に比較すると、マゼンダ（Ｍ）に関する情報が無い。
すなわち、図１２の色０情報１１１１はマゼンダ（Ｍ）、イエロー（Ｙ）、およびブラック（Ｋ）の３色情報を有しているが、図１３の色０情報１３１１はイエロー（Ｙ）とブラック（Ｋ）とだけであってマゼンダ（Ｍ）の要素が無くなっている。
図１４における印刷出力部（Ｙ）２０９に対してはマゼンダ（Ｍ）の色情報を与えなくても良く、該印刷出力部（Ｙ）２０９は用紙に対してイエロー（Ｙ）の図形（多数のドット）を印刷し、図１５のような信号をバッファＣ２１０に送信する。
【００２４】
図１５の信号は図１３に比較して、更にイエロー（Ｙ）の色情報が削除されていて、その色ヘッダ部１５１０はブラック（Ｋ）の色情報だけで構成されている。
図１６に示したようにして、バッファＣ２１０はブラック（Ｋ）のみから成る色情報を印刷出力部（Ｋ）２１１に与え、該印刷出力部（Ｋ）はブラック（Ｋ）だけの図形を印刷する。
以上のようにして、印刷用紙に４種類の色調（Ｃ，Ｍ，Ｙ，Ｋ）が順次に印刷されて、これら４色調によって近似されたカラープリントが完成する。
【００２５】
当初図７のように４色調の色情報を備えていた印刷情報が、多段のバッファ（Ａ，Ｂ，Ｃ）を順次に通過するに伴って、次第に図１１、図１３、図１５のように簡略化される。  従って（図２参照）、バッファＤに比してバッファＡ、バッファＢ、バッファＣは順次に所要記憶・処理容量が軽減される。（注・公知発明においては、バッファＤと同容量のバッファが配列されていた）
このバッファ容量削減は感光ドラムの距離に比例して大きくなることから、今後のドラム径の大型化による高速化に対応することが可能である。一方、本発明の適用によって各印刷制御部門間のデータ転送量が減少することからデータ転送時間に余裕ができ、今後の高精細化にも対応することが可能であり、印刷装置の小型化による感光ドラム間の縮小にも対応可能となる。
【図面の簡単な説明】
【００２６】
【図１】本発明の１実施形態におけるカラー印刷データを示す模式図
【図２】本発明の１実施形態における印刷装置のブロック図
【図３】カラー印刷の手順を説明するための印刷イメージ例を描いた模式図
【図４】前掲の図３に符号Ａを付して示した部分の説明図
【図５】前掲の図４に示した図形のドット座標図
【図６】公知発明によって前掲の図４に示した図形を表現した印刷データ図
【図７】本発明を適用して前掲の図４に示した図形を表現した印刷データ図
【図８】本発明の１実施形態におけるバッファメモリレイアウトを描いた模式図
【図９】カラー印刷装置の機構図
【図１０】カラー印刷装置によって第１の印刷色を印刷し終わった状態のブロック図
【図１１】本発明の１実施形態において図７の印刷データから第１の色情報を削除した状態の印刷データ図
【図１２】第１、第２の印刷色を印刷し終わった状態のブロック図
【図１３】図１１の印刷データから更に第２の色情報を削除した状態の印刷データ図
【図１４】第１、第２、および第３の印刷色を印刷し終わった状態のブロック図
【図１５】図１３の印刷データから更に第３の色情報を削除した状態の印刷データ図
【図１６】本発明の１実施形態において全部の色情報を印刷し終わった状態を描いたブロック図
【図１７】本発明に係るカラー印刷装置の１実施形態を描いたブロック図
【図１８】本発明の１実施形態におけるラスタ単位の動作を表すフロー図
【符号の説明】
【００２７】
１０１…色ヘッダ部、１０２…ドット色データ、１１１…ラスタ１、１１２…ラスタ２、１２１…ドット座標１、１２２…ドット座標２、２０５…印刷出力部（Ｃ）、２０６…バッファＡ、２０７…印刷出力部（Ｍ）、２０８…バッファＢ 、２０９…印刷出力部（Ｙ） 、      ２１０…バッファＣ 、２１１…印刷出力部（Ｋ）、４０１…ドット、７１０…色ヘッダ部 、７１１…色０情報、７１２…色１情報、７１３…色２情報 、７１４…色３情報、７２０…ドット色データ。
【図１】
2006021458.tif 000003
【図２】
2006021458.tif 000004
【図３】
2006021458.tif 000005
【図４】
2006021458.tif 000006
【図５】
2006021458.tif 000007
【図６】
2006021458.tif 000008
【図７】
2006021458.tif 000009
【図８】
2006021458.tif 000010
【図９】
2006021458.tif 000011
【図１０】
2006021458.tif 000012
【図１１】
2006021458.tif 000013
【図１２】
2006021458.tif 000014
【図１３】
2006021458.tif 000015
【図１４】
2006021458.tif 000016
【図１５】
2006021458.tif 000017
【図１６】
2006021458.tif 000018
【図１７】
2006021458.tif 000019
【図１８】
2006021458.tif 000020